(57)【特許請求の範囲】
【請求項１】
釣糸が挿通可能な内径寸法を有するガイドリングと、このガイドリングを支持する枠体と、この枠体を所定の部位に装着させるための装着部とを備えており、
これらの枠体とガイドリングとの表面に、枠体にガイドリングを嵌め込んだ状態で一体的且つ連続的に形成されて硬質被膜と耐磨耗性被膜と撥水性被膜と潤滑性被膜とから選択された装飾被膜を有し、ガイドリングの表面に形成する装飾被膜は、ガイドリング表面の凹部内に入り込ませて表面を平滑面に維持する０．０５μｍ〜０．５μｍの範囲の厚さを有することを特徴とする釣用具。
【請求項２】
前記枠体は、前記装飾被膜よりも比重の軽い材料で形成されていることを特徴とする請求項１記載の釣用具。
【請求項３】
前記枠体は、透明又は半透明な材料で形成されており、前記装飾被膜は、光を一部通過させるような極薄の厚さに設定されていることを特徴とする請求項１又は２に記載の釣用具。
【請求項４】
請求項１〜３のいずれか１に記載した釣用具を備えており、前記装着部に装飾被膜を形成し、この装着部を竿管に着脱自在又は移動自在に装着することによって、前記ガイドリングを支持する枠体が、前記竿管の所定位置に配置される釣竿。
【発明の詳細な説明】
【０００１】
【発明の属する技術分野】
本発明は、釣竿、及び、釣竿やリール等に用いる釣糸ガイド等の釣用具に関する。
【０００２】
【従来の技術】
例えば特開平１０−２４８４４９号公報に開示されているように、釣糸ガイドとして使用されるセラミック製のガイドリングの表面にチタンコーティング層を備えることによって、装飾性のある高級感を演出すると共に耐摩耗性を維持する技術が知られている。
【０００３】
【発明が解決しようとする課題】
ところで、釣糸ガイドとして使用されるセラミック製のガイドリングは、耐摩耗性に優れている反面、外部からの衝撃に弱いため（即ち、強度及び耐久性に欠けるため）、一般的に、そのガイドリングの外側に枠体を構成して、この枠体によって外部からの衝撃を受けるようにしている。
【０００４】
しかし、このような枠体によってガイドリングの外側を覆うと、ガイドリング表面に施された装飾性のある高級感を外部に演出することができなくなってしまうといった問題が発生する。
【０００５】
本発明は、このような問題を解決するために成されており、その目的は、装飾性のある高級感を演出すると共に耐摩耗性を維持しつつ強度及び耐久性に優れた釣用具を提供することにある。
【０００６】
【課題を解決するための手段】
この目的を達成するために、本発明の釣用具は、釣糸が挿通可能な内径寸法を有するガイドリングと、このガイドリングを支持する枠体と、この枠体を所定の部位に装着させるための装着部とを備えており、これらの枠体とガイドリングとの表面に、枠体にガイドリングを嵌め込んだ状態で一体的且つ連続的に形成されて硬質被膜と耐磨耗性被膜と撥水性被膜と潤滑性被膜とから選択された装飾被膜を有し、ガイドリングの表面に形成する装飾被膜は、ガイドリング表面の凹部内に入り込ませて表面を平滑面に維持する０．０５μｍ〜０．５μｍの範囲の厚さを有する。
【０００７】
【発明の実施の形態】
以下、本発明の釣用具について、添付図面を参照して説明する。
【０００８】
本発明の技術的思想を適用することが可能な釣用具としては、例えば、釣竿に沿って釣糸を案内するための釣糸ガイド、釣糸の繰出時及び巻取時にリールに対して釣糸を案内するレベルワインド機構の釣糸ガイドなどが挙げられる。
【０００９】
本実施の形態では、その一例として、釣竿に沿って釣糸を案内するための釣糸ガイドについて説明する。
【００１０】
図１には、釣竿全体の構成が示されている。
【００１１】
この釣竿は、握持把持部２が形成された元竿管４と、元竿管４の先端に連結された第１中竿管６と、第１中竿管６の先端に連結された第２中竿管８と、第２中竿管８の先端に連結された穂先竿管１０とから構成されている。
【００１２】
元竿管４の握持把持部２には、リール１２が着脱自在に取り付けられており、各竿管４，６，８，１０には、複数個の釣糸ガイド１４が着脱自在又は移動自在に装着されている。
【００１３】
このような構成において、リール１２に巻回されている釣糸１６は、複数個の釣糸ガイド１４によって釣竿に沿って案内された後、穂先竿管１０の先端に装着された釣糸ガイド（仮に、トップガイドと言う）１４から外方へ延出させることができるようになっている。
【００１４】
図２（ａ），（ｂ）には、釣糸ガイド１４の構成が示されている。
【００１５】
釣糸ガイド１４は、釣糸１６（図１参照）が挿通可能な内径寸法を有するガイドリング１８と、このガイドリング１８を支持する枠体２０と、この枠体２０を釣竿即ち各竿管４，６，８，１０に装着させるための装着部とを備えている。
【００１６】
ガイドリング１８は、その強度及び耐久性を確保するために、例えば、アルミナ、炭化ケイ素等の材料で形成することが好ましい。
【００１７】
枠体２０は、ガイドリング１８に比べて大きな寸法及び重量となっており、この枠体２０を釣竿即ち各竿管４，６，８，１０に装着したときに、釣竿全体が重くなったり魚釣操作性が悪くなるといった不具合を防止する必要がある。このため、枠体２０は、釣竿全体の軽量化や釣竿の魚釣操作性を実現すると同時に、その強度及び耐久性を確保するために、例えば、エンジニアリングプラスチック等の低比重材料（具体的には、後述する装飾被膜を構成する材料よりも比重の軽い材料）で形成することが好ましい。特に、枠体２０を透明又は半透明に形成する要求がある場合には、その要求に応じて、例えば、ポリカーボネイト等の透明材料、又は、例えば、ナイロン、ＡＢＳ等の半透明材料を適宜選択することが好ましい。
【００１８】
装着部は、枠体２０に形成された装着用穴２２であり、この装着用穴２２の内径寸法は、枠体２０を装着する各竿管４，６，８，１０の外径寸法に対応して設定されている。つまり、釣糸ガイド１４は、その装着用穴２２の内径寸法に応じて、各竿管４，６，８，１０に装着する位置が異なる（図１参照）。例えば、装着用穴２２内径寸法が比較的小さい場合、その釣糸ガイド１４は、穂先竿管１０或いは第２中竿管８に装着させるようになっており、これに対して、装着用穴２２内径寸法が比較的大きい場合、その釣糸ガイド１４は、第１中竿管６或いは元竿管４に装着させるようになっている。
【００１９】
釣竿は、その基端（元竿管４）から先端（穂先竿管１０）に行くに従って連続的且つ滑らかに先細りしているため、各竿管４，６，８，１０は、この先細り形状に対応して、夫々、テーパが施されている。従って、上述した釣糸ガイド１４は、その装着用穴２２を穂先竿管１０の先端から通した後、釣竿の基端方向に移動させて行くと、装着用穴２２の内径寸法と竿管の外径寸法が一致した箇所で、それ以上の移動が一時阻止される。このとき、更に釣糸ガイド１４を釣竿の基端方向に移動させると、装着用穴２２が竿管に圧接し、装着用穴２２と竿管との間に所定の摩擦力が発生するため、釣糸ガイド１４は、その装着用穴２２の内径寸法に適合した外径寸法を有する竿管の部分に安定して装着されることになる。
【００２０】
このような作業を全ての釣糸ガイド１４に対して行うことによって、図１に示すような位置に各釣糸ガイド１４を装着させることができる。
【００２１】
このような構成を有する本発明の釣糸ガイド１４には、装飾性のある高級感を演出すると共に耐摩耗性を維持しつつ強度及び耐久性に優れた釣用具を実現するために、各構成部位の表面に以下のような装飾被膜が形成されている。
【００２２】
図２（ｃ）には、枠体２０の装着用穴２２の内周面２２ａに装飾被膜２４が形成された状態が示されている。
【００２３】
図２（ｃ）に示すように、枠体２０の装着用穴２２の内周面２２ａには、枠体２０を各竿管４，６，８，１０に装着した際の回り止めとして、その周方向に亘って複数の凹凸部２６が形成されており、これら凹凸部２６の表面を覆うように装飾被膜２４が形成されている。
【００２４】
この場合、凹凸部２６の表面に形成した装飾被膜２４が剥離しないように、凹凸部２６の各頂部は、緩やかな湾曲状に形成することが好ましい。凹凸部２６の各頂部を緩やかな湾曲状に形成する場合、この凹凸部２６の広がり角度θは、約３０度〜１５０度、好ましくは、約３０度〜９０度の範囲に設定することが好ましい。このように構成することによって、凹凸部２６の頂部を欠け難くすることができる。
【００２５】
このような装着用穴２２の内周面２２ａに形成する装飾被膜２４としては、枠体２０の材料の種類に対応して、種々のタイプの装飾被膜２４を選択することが好ましい。例えば、クロム、チタン及びその窒化物，炭化物、Ｄ．Ｌ．Ｃ（ダイヤモンドライクカーボン）等の材料から成る硬質被膜、クロム、チタン及びその窒化物，炭化物、Ｄ．Ｌ．Ｃ等の材料から成る耐摩耗性被膜、フッ素系の化合物、シリコン系化合物等の材料から成る撥水性被膜、Ｄ．Ｌ．Ｃ、モリブデン等の材料から成る潤滑性被膜を選択することが好ましい。
【００２６】
また、装着用穴２２の内周面２２ａに装飾被膜２４を形成する方法としては、例えば、物理蒸着法、化学蒸着法、ＣＶＤ法、イオンプレーティング法、スパッタリング法、湿式メッキ法等を選択することができる。
【００２７】
また、装着用穴２２の内周面２２ａに形成する装飾被膜２４の厚さは、枠体２０の軽量化と共に、装着用穴２２と各竿管４，６，８，１０との間の装着力の向上を図ることができるように、約３μｍ以下、好ましくは、１μｍ〜０．０１μｍの範囲に設定することが好ましい。この場合、上述したように、特に枠体２０を透明又は半透明に形成する要求がある場合には、装飾被膜２４を光が一部通過するような極薄の厚さ（例えば、０．０１μｍ〜０．１μｍの厚さ）に設定することが好ましい。
【００２８】
また、図３には、枠体２０の表面に装飾被膜２８が形成された状態が示されている。
【００２９】
この装飾被膜２８も、上述した装飾被膜２４（図２（ｃ）参照）と同様に、枠体２０の材料の種類に対応して、種々のタイプ（硬質被膜、耐摩耗性被膜、撥水性被膜、潤滑性被膜など）の装飾被膜２８を選択することが好ましい。なお、この装飾被膜２８の形成方法、及び、その厚さについては、上述した装飾被膜２４の場合と同様であるため、その説明は省略する。
【００３０】
更に、図４には、ガイドリング１８の表面（少なくとも釣糸１６（図１参照）が接触する部分、特に、枠体２０にガイドリング１８が嵌め込まれた状態において外部に露出する部分）に装飾被膜３０が形成された状態が示されている。
【００３１】
ガイドリング１８の表面に形成する装飾被膜３０としては、ガイドリング１８の材料の種類に対応して、種々のタイプの装飾被膜３０を選択することが好ましい。特に、このガイドリング１８には、直接、釣糸１６（図１参照）が接触するため、装飾被膜３０は、釣糸１６との間の摩擦抵抗が小さくなると共に、釣糸１６によって容易に損傷することの無い材料で構成することが好ましい。この場合、例えば、Ｄ．Ｌ．Ｃ、ＳｉＣ、チタンアルミ等の材料を用いることが好ましい。なお、摩擦抵抗や損傷に関する条件を全て満足するものであれば、上述したような種々のタイプ（硬質被膜、耐摩耗性被膜、撥水性被膜、潤滑性被膜など）の装飾被膜を選択しても良い。
【００３２】
更に、ガイドリング１８の表面には、微小な凹部（ピンホールなど）１８ａが多数形成されているため、ガイドリング１８の表面に装飾被膜３０を形成する場合、多数の凹部１８ａによって装飾被膜３０の表面が粗面状にならないように、装飾被膜３０の厚さを調節することが好ましい。具体的には、ガイドリング１８の表面に形成する装飾被膜３０の厚さは、約１μｍ以下、好ましくは、０．０５μｍ〜０．５μｍの範囲に設定することが好ましい。
【００３３】
このように被膜の種類及び厚さを設定することによって、釣糸１６との間の摩擦抵抗が小さくなると共に、釣糸１６によって容易に損傷することも無く、その表面が平滑面に維持された装飾被膜３０を形成することができる。更に、ガイドリング１８の多数の凹部１８ａ内に装飾被膜３０を充分に入り込ませることができるため、装飾被膜３０が摩耗してガイドリング１８の表面が露出しても、多数の凹部１８ａ内に入り込んでいる装飾被膜３０によって、その表面の平滑性を維持させておくことができる。
【００３４】
また、この装飾被膜３０の形成方法については、上述した装飾被膜２４の場合と同様であるため、その説明は省略する。
【００３５】
なお、本発明は、上述した実施の形態に限定されることは無く、以下のように種々変更することが可能である。
【００３６】
上述した装飾被膜２４，２８，３０は、いずれも単層から成る被膜を前提としているが、例えば下地層と被膜層から成る多層構造の装飾被膜にしても良い。
【００３７】
また、上述した実施の形態では、ガイドリング１８の表面、枠体２０の装着用穴２２の内周面２２ａ、枠体２０の表面に対して、個別に装飾被膜を形成する場合について説明したが、装飾被膜は、釣糸ガイド１４に対して一体的且つ連続的に形成しても良い。特に、枠体２０にガイドリング１８を嵌め込んだ状態で装飾被膜を一体的且つ連続的に形成すると、ガイドリング１８と枠体２０との間に装飾被膜が一部入り込むことによって、ガイドリング１８と枠体２０との間の支持力を向上させることができると共に、ガイドリング１８の表面平滑性の向上と同時にガイドリング１８と枠体２０と境界部分の外観を向上させることができる。
【００３８】
また、図５に示すように、ガイドリング１８を枠体２０に嵌め込む前に、枠体２０の表面（装着用穴２２の内周面２２ａ、ガイドリング１８を支持するための支持穴３２の内周面３２ａを含んだ枠体２０の表面）にのみ、装飾被膜（図示しない）を形成し、その後、ガイドリング１８を支持穴３２に嵌め込むようにしても良い。なお、ガイドリング１８には、被膜形成処理が施されていない。
【００３９】
この場合、装飾被膜としては、ガイドリング１８よりも軟質の被膜であって、且つ、枠体２０とガイドリング１８との中間程度の硬度を有する被膜を選択することが好ましい。
【００４０】
この図５に示すような構成によれば、ガイドリング１８を枠体２０の支持穴３２に堅牢に固定することができる。更に、装飾被膜の厚さを厚くしたり、高い硬度の装飾被膜を用いても、装飾被膜を形成する箇所は、枠体２０の表面だけであるから、ガイドリング１８の表面（特に、釣糸が接触する面）の釣糸案内性能には、一切影響を与えることは無い。
【００４１】
【発明の効果】
本発明によれば、枠体とガイドリングとの表面に一体的且つ連続的に形成されて硬質被膜と耐磨耗性被膜と撥水性被膜と潤滑性被膜とから選択された装飾被膜は、ガイドリングと枠体との間の支持力を向上させることができると共に、ガイドリング表面の凹部に入り込ませて表面を平滑面に維持することで表面平滑性の向上と同時にガイドリングと枠体と境界部分の外観を向上させることができ、また、装飾被膜が磨耗しても、ガイドリング表面の凹部内に入り込んでいる装飾被膜がガイドリングの表面の平滑性を維持させておくことができ、装飾性のある高級感を演出すると共に耐摩耗性を維持しつつ強度及び耐久性に優れた釣用具を提供することができる。
【図面の簡単な説明】
【図１】本発明の釣竿の全体の構成を示す図。
【図２】（ａ）は、釣糸ガイドの断面図、（ｂ）は、釣糸ガイドの正面図、（ｃ）は、釣糸ガイドの一部を拡大して示す図であって、枠体の装着用穴の内周面に装飾被膜が形成された状態を示す図。
【図３】釣糸ガイドの一部を拡大して示す図であって、枠体の表面に装飾被膜が形成された状態。
【図４】釣糸ガイドの一部を拡大して示す図であって、ガイドリングの表面に装飾被膜が形成された状態。
【図５】本発明の変形例に係る釣糸ガイドの構成を示す図。
【符号の説明】
１４  釣糸ガイド
１８  ガイドリング
２０  枠体
２２  装着用穴
２２ａ  装着用穴の内周面
２４  装飾被膜
【図１】
0003748336.tif 000002
【図２】
0003748336.tif 000003
【図３】
0003748336.tif 000004
【図４】
0003748336.tif 000005
【図５】
0003748336.tif 000006